(57)【要約】【課題】除霜時に蓄熱を利用する空気調和機で、低温暖化係数の冷媒を用いても圧縮機の吐出温度上昇を抑えるとともに性能の低下を防ぐ。【解決手段】冷媒として低温暖化係数の冷媒を用いた冷凍サイクル装置であって、そのサイクル中の圧縮機１１１の吐出温度が上限値を超えてしまったり、圧縮機に接触して互いに熱の移動を行う蓄熱槽１１９の温度が上限に達したりすると、蓄熱制御弁１２５を操作して、蓄熱熱交換器１２１に冷媒を流し、蓄熱槽１１９、圧縮機１１１を冷却する構成としてある。これにより追加した要素は無いのでコストの増加はなく、液冷媒を多量に蓄積しないので性能の低下も少なく、蓄熱熱交換器１２１で液冷媒は蒸発するので信頼性の低下も無く、目的の圧縮機１１１や蓄熱槽１１９の温度上昇を抑えることができる。【選択図】図１
2013124801.tif 000002
【特許請求の範囲】
【請求項１】
圧縮機、凝縮機、膨張弁、蒸発器、アキュムレータを循環する冷媒として温暖化係数が少なくとも７５０以下の冷媒を用いた冷凍サイクル装置であって、前記冷媒と熱交換を行う蓄熱熱交換器を内包するとともに前記圧縮機に接触して互いに熱の移動を行うよう構成された蓄熱槽と、前記室内熱交換器と膨張弁との間の冷媒配管と前記蓄熱熱交換器とを結ぶ蓄熱入口冷媒管と、前記蓄熱入口冷媒管の途中に配置されていて冷媒の流れを制御する冷媒制御弁と、前記蓄熱熱交換器のもう一方の出入口とアキュムレータ入口とを結ぶ蓄熱出口冷媒管とを備え、前記圧縮機の吐出温度あるいは、前記蓄熱槽の温度に基づいて前記冷媒制御弁を調整することを特徴とした冷凍サイクル装置。
【請求項２】
冷媒制御弁が開閉弁であり、圧縮機の吐出温度あるいは、蓄熱槽の温度に基づいて開閉時間の比率を所定の値に決め、開閉を繰り返すことを特徴とする請求項１に記載の冷凍サイクル装置。
【請求項３】
冷媒制御弁が流量調整弁であり、圧縮機の吐出温度あるいは、蓄熱槽の温度に基づいて冷媒の流量を調整することを特徴とする請求項１に記載の冷凍サイクル装置。
【請求項４】
圧縮機の吐出温度が上限を超えないよう膨張弁の開度を調整し、蓄熱槽の温度が上限を超えないよう冷媒制御弁の操作を制御することを特徴とする請求項１から３のいずれか１項に記載の冷凍サイクル装置。
【請求項５】
圧縮機の吐出温度上限と蓄熱槽の温度上限を別々に設定したことを特徴とする請求項４に記載の冷凍サイクル装置。
【発明の詳細な説明】
【技術分野】
【０００１】
本発明は、圧縮機の熱を蓄熱材に貯め除霜時に利用する冷凍サイクル装置において、Ｒ３２などのように温暖化係数が低く吐出温度が上昇しやすい冷媒を用いた場合の圧縮機の過熱を防ぐ技術に関するものである。
【背景技術】
【０００２】
近年、地球温暖化が大きな問題となり、温暖化係数の低い冷媒を使用しようという動きが顕著になっている。ハイドロフルオロカーボン（ＨＦＣ）の代替冷媒として、自然冷媒や、炭素と炭素間に２重結合を有するハイドロフルオロオレフィンなどの冷媒が注目されている。ＨＣＦＣ−２２（Ｒ２２）については、既にオゾン層保護の観点から、オゾン層を破壊しない冷媒への転換が迫られており、日本ではエアコンなどで新しい装置への使用は終了している。
【０００３】
ハイドロフルオロオレフィンは、ＨＦＣ−１３４ａの代替冷媒として特に注目されており、自動車用エアコンディショナーへの実用化が推進されている。その温暖化係数（ＧＷＰ）はＨＦＯ−１２３４ｙｆの場合４と、ＨＦＣ−１３４ａの１４３０、エアコンなどで使用されているＨＦＣ−４１０Ａの２０９０に比べてきわめて小さい。この温暖化係数が小さいという特性は、炭素間に２重結合を有し分解し易いことに起因している。
【０００４】
また、比較的温暖化係数が低い冷媒として使用できるＨＦＣとしては、ＨＦＣ−４１０Ａ（Ｒ４１ＯＡ）の５０％を占め、微燃性を有するＨＦＣ−３２（Ｒ３２、ＧＷＰ６７５）や、弱燃性のＨＦＣ−１５２ａ（ＧＷＰ１２４）などがあり、強燃性の炭化水素も冷媒として優れた特性を有している。
【０００５】
しかし、ＨＦＯ−１２３４ｙｆの場合、圧力損失が大きくて室内機と室外機が離れて設置されるセパレート型のルームエアコンには不向きであること、ＨＦＣ−１５２ａや炭化水素については、可燃性への対応が性能の低下やコスト増大を招くこと、二酸化炭素については、性能の低下が大きく実用的な性能を得るのが困難なこと、などの課題があり、早期に温暖化係数の低い冷媒に転換するにはＲ３２が有望である。
【０００６】
Ｒ３２を冷媒として用いた場合、その温暖化係数は低く地球環境負荷を低減することができるが、Ｒ２２やＲ４１０Ａを用いた場合に比べ、吐出温度が上昇する特性を有するため、微燃性に対する対応とともに吐出温度の上昇に対する対応、すなわち圧縮機の過熱に対する対応も必要になってくる。
【０００７】
一方、近年はヒートポンプによる暖房がかなり普及してきており、真冬でもエアコンにより暖をとる事例が増加している。ヒートポンプにより暖房を行うと、外気温が低いために蒸発器である室外熱交換器に霜が付着する。付着した霜を取り除くため、室内外の送風機を停止し、四方弁を逆転して冷房時と同様の方向に冷媒を循環させ、室外熱交換器を凝縮器とすることで霜を融かす除霜運転を行う。このとき、室内機から冷風は吹かないものの冷たい空気が落下するコールドドラフトが生じ、暖房感の低下を招くことがある。
【０００８】
これを解決するため、圧縮機に接触して熱を得るように蓄熱槽を設け、除霜運転時に蓄熱槽の熱を利用するような装置が提案されている（例えば、特許文献１参照）。
【０００９】
この装置で使用する蓄熱材としては、例えばパラフィン系の材料や、塩化カルシウム水和物、硫酸ナトリウム水和物、酢酸ナトリウム水和物などの水和物、水系の顕熱蓄熱材な
ど様々な物が考えられるが、安価で、広い温度レンジにおいて蓄熱量が確保でき、腐食等の問題も発生しにくい水系の顕熱蓄熱材が用い易い。
【００１０】
一方、従来の空気調和機では、圧縮機の吐出温度として最適値があり、膨張弁の開度を調節することにより最適な吐出温度を実現している（例えば、特許文献２参照）。膨張弁の開度を開ければ、吐出温度は低下し、開度を絞れば吐出温度は上昇する。従って、吐出温度を下げたい状況の場合には、膨張弁の開度を開ければ良い。膨張弁を開いていくと、圧縮機の吸入口において冷媒が完全に蒸発しきらない、湿り状態になり、吐出温度が低下する。
【００１１】
一方、圧縮機は液冷媒を大量に吸い込むと液圧縮を起こし信頼性を確保できなくなることがあるため、従来の装置においては、気液分離を行い主に気相の冷媒を吸い込むようアキュムレータを設けて、信頼性の低下を防止している。
【００１２】
このアキュムレータは、円筒形の胴体を持った容器に冷媒を導入し、冷媒の流速を遅くするとともに重力の効果により、液冷媒を容器の下部に溜め、気相の冷媒を選択的に吸い込み、圧縮機などへ送る冷媒出口管が設けられている。サイクル中に吐出されて戻ってきた冷凍機油を圧縮機へ戻すため、冷媒出口管の下部には小穴が設けられており、気相の冷媒に混ぜられて圧縮機へ送られる。このとき、液冷媒が溜まっていれば液冷媒も少量ずつ圧縮機へ送られる。
【先行技術文献】
【特許文献】
【００１３】
【特許文献１】特許第４６６６１１１号公報
【特許文献２】特公平３−４０２９５号公報
【発明の概要】
【発明が解決しようとする課題】
【００１４】
上記従来の圧縮機に接触して熱を得るように蓄熱槽を設け、除霜運転時に蓄熱槽の熱を利用する装置においては、Ｒ３２のような吐出温度が上昇しやすい低温暖化係数の冷媒を用いた場合、その温度による蓄熱槽や蓄熱材の劣化などについて十分な注意を払う必要がある。特に、水系の蓄熱材を使用している場合など、沸騰したり蒸発が激しくなったりして蓄熱材を消失する危険性も持ち合わせており、蓄熱槽の温度が上昇しすぎたら速やかに許容温度まで下げてやるのが望ましい。
【００１５】
そして、従来の膨張弁開度の調整による吐出温度制御では、アキュムレータは基本的に液冷媒を溜める構造となっており、吐出温度を下げたい状況下においては、液戻り量を増加させるためアキュムレータにおいて液冷媒を多量に蓄積しなければならない。
【００１６】
しかしながら、アキュムレータ内に液冷媒を蓄積してしまうと、サイクル内の冷媒量に不足が生じ性能の低下を招くという課題がある。
【００１７】
また、圧縮機の温度を下げることもさることながら、蓄熱槽の温度も速やかに下げたい場合、この吐出温度制御では圧縮機の温度が下がってからやっと蓄熱槽の温度が下がりだすという具合で、蓄熱槽の温度を速やかに下げるという目的には適さない。
【００１８】
本発明はこのような課題を解決したもので、圧縮機に接触して蓄熱槽を設け、除霜運転時に蓄熱槽の熱を利用する冷凍サイクル装置において、吐出温度が上昇しやすい冷媒を用いても、コストの増大や性能の低下を招くことなく、蓄熱槽と圧縮機の過熱を防ぎ、高い信頼性を有する冷凍サイクル装置を提供することを目的としたものである。
【課題を解決するための手段】
【００１９】
上記従来の課題を解決するために本発明は、圧縮機、凝縮機、膨張弁、蒸発器、アキュムレータを循環する冷媒として温暖化係数が少なくとも７５０以下の冷媒を用いた冷凍サイクル装置であって、前記冷媒と熱交換を行う蓄熱熱交換器を内包するとともに前記圧縮機に接触して互いに熱の移動を行うよう構成された蓄熱槽と、前記室内熱交換器と膨張弁との間の冷媒配管と前記蓄熱熱交換器とを結ぶ蓄熱入口冷媒管と、前記蓄熱入口冷媒管の途中に配置されていて冷媒の流れを制御する冷媒制御弁と、前記蓄熱熱交換器のもう一方の出入口とアキュムレータ入口とを結ぶ蓄熱出口冷媒管とを備え、前記圧縮機の吐出温度あるいは、前記蓄熱槽の温度に基づいて前記冷媒制御弁を調整する構成としてある。
【００２０】
これにより、前記圧縮機の吐出温度が高くなったようなときには蓄熱熱交換器に冷媒を流し、前記蓄熱材および蓄熱槽を速やかに冷却し、前記圧縮機を冷却することができる。
【発明の効果】
【００２１】
本発明の冷凍サイクル装置は、蓄熱熱交換器に冷媒を流し、蓄熱材および蓄熱槽を速やかに冷却することができるので、吐出温度が上昇しやすい冷媒を用いてもコストの増大や性能の低下を招くことなく、蓄熱槽と圧縮機の過熱を防ぎ、高い信頼性を有する冷凍サイクル装置を提供することができ、さらには、環境負荷の小さな装置を提供することができる。
【図面の簡単な説明】
【００２２】
【図１】本発明の実施の形態１における冷凍サイクル装置を適用した空気調和機の構成図
【発明を実施するための形態】
【００２３】
第１の発明は、圧縮機、凝縮機、膨張弁、蒸発器、アキュムレータを循環する冷媒として温暖化係数が少なくとも７５０以下の冷媒を用いた冷凍サイクル装置であって、前記冷媒と熱交換を行う蓄熱熱交換器を内包するとともに前記圧縮機に接触して互いに熱の移動を行うよう構成された蓄熱槽と、前記室内熱交換器と膨張弁との間の冷媒配管と前記蓄熱熱交換器とを結ぶ蓄熱入口冷媒管と、前記蓄熱入口冷媒管の途中に配置されていて冷媒の流れを制御する冷媒制御弁と、前記蓄熱熱交換器のもう一方の出入口とアキュムレータ入口とを結ぶ蓄熱出口冷媒管とを備え、前記圧縮機の吐出温度あるいは、前記蓄熱槽の温度に基づいて前記冷媒制御弁を調整する構成としてある。
【００２４】
これにより、前記圧縮機の吐出温度が高くなったようなときには蓄熱熱交換器に冷媒を流し、前記蓄熱材および蓄熱槽を速やかに冷却し、前記圧縮機を冷却することができる。従って、吐出温度が上昇しやすい冷媒を用いてもコストの増大や性能の低下を招くことなく、蓄熱槽と圧縮機の過熱を防ぎ、高い信頼性を有する装置を提供することができ、さらには、環境負荷の小さな装置を提供することができる。
【００２５】
第２の発明は、第１の発明において、前記冷媒制御弁を開閉弁とし、前記圧縮機の吐出温度あるいは、前記蓄熱槽の温度に基づいて開閉時間の比率を所定の値に決め、開閉を繰り返す構成としたものである。
【００２６】
これにより、前記冷媒制御弁を安価に構成し、操作を簡単にすることができる。従って、安価な構成で目的を達成することができる。
【００２７】
第３の発明は、第１の発明において、前記冷媒制御弁を流量調整弁とし、前記圧縮機の吐出温度あるいは、前記蓄熱槽の温度に基づいて前記冷媒の流量を調整する構成としたも
のである。
【００２８】
これにより、前記蓄熱熱交換器を流れる冷媒の量を安定的に調整し、高い精度で前記圧縮機の吐出温度あるいは、前記蓄熱槽の温度を制御することができる。従って、性能の低下をより抑え、蓄熱槽と圧縮機の過熱を高い精度で防ぎ、高い信頼性を有する装置を提供することができる。
【００２９】
第４の発明は、第１から第３の発明において、前記圧縮機の吐出温度が上限を超えないよう前記膨張弁の開度を調整し、前記蓄熱槽の温度が上限を超えないよう前記冷媒制御弁の操作を制御する構成としたものである。
【００３０】
これにより、前記圧縮機の吐出温度上限と前記蓄熱槽の上限温度が別個に設定でき、材料選択の幅を広げることができて、設計が容易になる。
【００３１】
第５の発明は、第４の発明において、圧縮機の吐出温度上限と蓄熱槽の温度上限を別々に設定したものである。
【００３２】
これにより、性能低下を起こすことなく蓄熱槽に樹脂などの安価な材料を使用することが可能となり、さらに安価な構成で目的を達成することができる。
【００３３】
以下、本発明の実施の形態について、図面を参照しながら説明する。なお、この実施の形態の説明によって本発明が限定されるものではない。
【００３４】
（実施の形態１）
図１は、本発明の実施の形態１における冷凍サイクル装置を適用した空気調和機の構成図を示すものである。
【００３５】
図１に示すように、この空気調和機は、室外機１００と室内機１０１を、接続配管つまり液側接続配管１２８およびガス側接続配管１２９で接続して構成されており、暖・冷房運転を行う。冷媒としてはＲ２２やＲ４１０Ａに比べ温暖化係数が小さく、その温暖化係数が５以上、７５０以下、望ましくは３５０以下の低温暖化冷媒としてある。例えば、ＨＦＣ−３２（Ｒ３２）やＨＦＣ−１５２ａ、ＨＦＯ−１２３４ｙｆ、ＨＦＯ−１２３４ｚｅ等の単一冷媒、またはそれらを主成分とし、それぞれ２成分混合もしくは３成分混合した混合冷媒としてあり、この実施の形態ではＲ３２を一例として使用している。
【００３６】
室内機１０１は、室内熱交換器１１５と、室内熱交換器１１５における冷媒の飽和温度を検出する室内熱交温度センサ１１６を備えている。
【００３７】
室外機１００は、圧縮機１１１、凝縮器である室外熱交換器１１２、冷媒を減圧膨張させる膨張弁１１４、四方弁１１７、アキュムレータ１１８と、圧縮機１１１から吐出される冷媒の温度を検出する吐出温度センサ１２２と、室外熱交換器１１２における飽和温度を検出する室外熱交温度センサ１１３を備えている。
【００３８】
圧縮機１１１の周りには、蓄熱材１２０を満たした蓄熱槽１１９が配置されており、蓄熱槽１１９には蓄熱熱交換器１２１と蓄熱槽温度センサ１２６が設けられていて、圧縮機１１１から熱伝導により、熱を蓄えるように構成されている。
【００３９】
蓄熱熱交換器１２１の一端は、途中に冷媒制御弁である蓄熱制御弁１２５を有する蓄熱入口冷媒管１３０を介して、膨張弁１１４と液側接続配管１２８の間の配管に接続され、もう一端は蓄熱出口冷媒管１３１を解してアキュムレータ１１８の手前に接続されている
。
【００４０】
圧縮機１１１の吐出から、室外熱交換器１１２と膨張弁１１４の間にバイパス経路１３２が設けられ、そのバイパス経路にはキャピラリチューブ１２３、除霜制御弁１２４が配備されている。
【００４１】
制御装置１２７は、膨張弁１１４と蓄熱制御弁１２５を操作調整するための制御装置であり、室外熱交温度センサ１１３、室内熱交温度センサ１１６、吐出温度センサ１２２、蓄熱槽温度センサ１２６の情報を得て操作調整内容を決定する。
【００４２】
図１の空気調和機は暖房運転している状態で、除霜制御弁１２４、蓄熱制御弁１２５は閉じておりその経路を冷媒は流れていない。室外熱交換器１１２の霜が成長したのを検知すると、除霜運転に入り、除霜制御弁１２４、蓄熱制御弁１２５が開き、圧縮機１１１を出た冷媒はキャピラリチューブ１２３、除霜制御弁１２４を通り、室外熱交換器１１２の霜を融かしてアキュムレータ１１８へ還る冷媒と、室内機１０１で放熱して凝縮し、蓄熱制御弁１２５を通って蓄熱熱交換器１２１で吸熱し蒸発してアキュムレータ１１８へ還る冷媒とに分かれる。
【００４３】
蓄熱槽１１９の熱を利用することで、室外熱交換器１１２の霜を融かしながらも、室内機１０１は暖房状態を維持し、アキュムレータ１１８での冷媒の乾き度も上昇させて快適性と信頼性の両立を実現している。
【００４４】
蓄熱量が少なく、十分な除霜が行えないようなときには、従来の方式で四方弁１１７を切り替えて除霜することも可能である。
【００４５】
冷房運転時には、暖房時と同様に蓄熱槽１１９に熱は蓄えられるが、これを利用することは無い。
【００４６】
圧縮機１１１は、密閉型のロータリー圧縮機で、インバータにより任意の回転数で駆動されるＤＣブラシレスモータにより回転ピストンが回転し冷媒を圧縮する。冷媒出口管から圧縮機１１１に吸込まれた冷媒は圧縮部で圧縮され、圧縮機１１１の密閉シェル内に送り出され、モータ部を冷却した後吐出される。
【００４７】
従って、圧縮機１１１の吐出温度が、冷媒の最高温度とほぼ等しく、吐出温度センサ１２２の出力をみれば、圧縮機内部の温度が推測することができる。
【００４８】
圧縮機１１１の内部温度が上昇すると、樹脂材料や冷凍機油の劣化やモータのロータを構成する磁性体の減磁などの問題が生じてくる。
【００４９】
そして、使用している材料によって吐出温度の上限が決まり、例えばモータの巻き線に使用する絶縁材料がＥ種であれば許容温度は１２０℃となり、吐出温度は１１０℃以下に抑えるのが望ましい。
【００５０】
一方、冷媒として使用しているＲ３２の物性上、吐出温度がＲ２２やＲ４１０Ａに比べ上昇するという特性がある。
【００５１】
例えば、圧縮機の吸入の飽和温度が１０℃、加熱度が５Ｋの状態から理想的な断熱圧縮が行われ、飽和温度４５℃の状態まで圧縮されたとすると、吐出温度はＲ２２とＲ４１０Ａが約６５℃、Ｒ３２が約７６℃となる。
【００５２】
実際に、ドロップイン試験を行った結果では、同一冷房能力を得る運転において、Ｒ４１０Ａの吐出温度に対してＲ３２の吐出温度は概ね１０℃程度高くなった。
【００５３】
従って、Ｒ３２を使用する装置ではＲ４１０Ａを使用する装置に比べ容易に吐出温度が上昇するため、信頼性確保のため吐出温度を下げるための技術が必要である。
【００５４】
従来から、膨張弁１１４の開度を開けたり、圧縮機１１１の回転数を下げたりすれば、吐出温度が下がることは知られている。しかしながら、圧縮機１１１の回転数を下げれば、空気調和機の能力は低下してしまう。
【００５５】
また、従来の膨張弁１１４を開く方法では、アキュムレータ１１８は基本的に液冷媒を溜める構造となっており、吐出温度を下げるため冷媒を湿り状態にするには、多量の液冷媒を蓄積しなければならないが、これではサイクル中の冷媒が不足し能力の低下が生じてしまう。
【００５６】
また、従来の技術では、インジェクションサイクルを構成したり、膨張弁の直前あるいは直後からアキュムレータへ調整弁を備えたバイパスを設けて液冷媒を戻して吐出温度を下げたりする技術も知られているが、装置のコストは増大する。
【００５７】
実施の形態１に示す空気調和機では、吐出温度、蓄熱槽温度には上限が設定されており、この上限に到達しない範囲では制御装置１２７は、室外熱交温度センサ１１３、室内熱交温度センサ１１６に基づいて理想的な吐出温度を算出し、吐出温度が理想的な値になるよう吐出温度センサ１２２の出力を用いて膨張弁１１４をフィードバック制御する。蓄熱制御弁１２５は、通常運転時は閉じている。
【００５８】
理想的な吐出温度が上限値を超えてしまったり、蓄熱槽温度が上限に達したりすると、制御装置１２７は蓄熱制御弁１２５を開操作して蓄熱熱交換器１２１に冷媒を流し蓄熱槽１１９、圧縮機１１１を冷却する。さらに、吐出温度は上限値を目標として、膨張弁１１４を制御する。
【００５９】
もともとの、蓄熱を利用するための構造に追加した要素は無いのでコストは増加しないし、液冷媒を多量に蓄積しないので性能の低下も少なく、蓄熱熱交換器１２１で液冷媒は蒸発するので信頼性の低下も無く、目的の圧縮機１１１や蓄熱槽１１９の温度上昇を抑えることができる。
【００６０】
従って、吐出温度が上昇しやすいＲ３２冷媒を用いても、コストの増大や性能の低下を招くことなく、蓄熱槽と圧縮機の過熱を防ぎ、高い信頼性を有する装置を提供することができ、さらには、環境負荷の小さな装置を提供することができる。
【００６１】
さらに、蓄熱制御弁１２５を開閉弁とすると、安価に構成することができる。この場合、蓄熱制御弁１２５が開いたままでは、蓄熱熱交換器１２１に必要以上の冷媒が流れ込み、室外熱交換器１１２での吸熱量が低下し、圧縮機１１１の温度が下がりすぎて能力が低下してしまうので、制御装置１２７が、吐出温度あるいは蓄熱槽温度に基づいて開閉時間の比率を所定の値に制御し、開閉を繰り返すことでこれを防ぐことができる。
【００６２】
さらに、蓄熱制御弁１２５を流量調整弁とすると、蓄熱熱交換器１２１を流れる冷媒の量を制御装置１２７の制御によって安定的に調整し、高い精度で圧縮機１１１の吐出温度あるいは、蓄熱槽１１９の温度を制御することができる。
【００６３】
従って、性能の低下をより抑え、蓄熱槽１１９と圧縮機１１１の過熱を高い精度で防ぎ
、高い信頼性を有する装置を提供することができる。
【００６４】
さらに、圧縮機１１１の吐出温度が上限を超えないよう膨張弁１１４の開度を調整し、蓄熱槽１１９の温度が上限を超えないよう蓄熱制御弁１２５の操作行うよう制御アルゴリズムを構成すると、吐出温度と蓄熱槽温度の上限を別個に設定することが可能となる。ただし、熱の流れの関係から、吐出温度より蓄熱槽温度を高く設定することは困難である。
【００６５】
吐出温度の上限を例えば１１０℃（モータ巻線絶縁Ｅ種）とし、蓄熱槽温度の上限がこれより低い場合、上限温度を１つしか設定できない場合には、蓄熱槽温度の上限が制約温度となる。すると、圧縮機１１１は自身の上限温度より低い吐出温度で運転することになり、性能の低下は大きくなる。逆に、蓄熱槽温度の上限を吐出温度上限にあわせると、蓄熱槽１１９に使用できる材料に制約が生じる。
【００６６】
このことから、吐出温度の上限は例えば１１０℃、蓄熱槽温度の上限は７０℃から１００℃と二つに分けて別々に設定すれば、性能低下を起こすことなく多くの樹脂材料も使用可能となり蓄熱槽を安価に構成することができる。
【００６７】
上記のように、実施の形態１の空気調和機は、温暖化係数の小さな例えばＲ３２を、コストの増大や性能の低下を招くことなく、圧縮機の温度上昇を抑え、高い信頼性でもって使用することができる環境負荷の小さな装置を提供することができる。
【００６８】
なお、図１は、暖房時の図であるが、冷房時であっても蓄熱制御弁１２５を開けば冷媒は蓄熱熱交換器１２１へ流れ込むので、同様の効果が得られる。この場合、室内熱交換器、室外熱交換器が、暖房、冷房によって、凝縮器、蒸発器と入れ換わるものである。
【産業上の利用可能性】
【００６９】
以上のように、本発明は、温暖化係数の小さな冷媒を、コストの増大や性能の低下を招くことなく、圧縮機の温度上昇を抑え、高い信頼性でもって使用することができる環境負荷の小さな装置を提供することができ、空気調和機だけに止まらず、セパレート型のショーケースや、冷蔵庫などに広く適用することができて、効果をもたらすものである。
【符号の説明】
【００７０】
１００  室外機
１０１  室内機
１１１  圧縮機
１１２  室外熱交換器
１１３  室外熱交温度センサ
１１４  膨張弁
１１５  室内熱交換器
１１６  室内熱交温度センサ
１１７  四方弁
１１８  アキュムレータ
１１９  蓄熱槽
１２０  蓄熱材
１２１  蓄熱熱交換器
１２２  吐出温度センサ
１２３  キャピラリチューブ
１２４  除霜制御弁
１２５  蓄熱制御弁
１２６  蓄熱槽温度センサ
１２７  制御装置
１２８  液側接続配管
１２９  ガス側接続配管
【図１】
2013124801.tif 000003